(57)【要約】【課題】墓前等に使用される有底の円筒状花立ての中に入れて花束を支持することなく花立てに着脱自在に立てて装着し、花立てに挿入された花束を支持するのに好適な花立て用花束支持背景板を提供する。【解決手段】円弧面を有する背景板１の上端部とその下方の左右両サイドに穴１ｂ，１ｂ，…を穿設し、該穴に支持バンド２，…の両端部を挿通させて、背景板１の上端部とその下方の中心部にねじ穴１ｃ，…を穿設して設けられたストッパー部３，３で挿通させた支持バンド２，…の両端部を止めるようにすると共に、背景板１の下端部左右両サイドにはバネ押え力をもたせ押え板４，４を形成し、該押え板と背景板１の下端部内面１ａとの間で花立ての上端部周壁を開閉自在に挟持するようにして花立ての上端円周上に立てて装着し、花立てに挿入された花束を支持するようにした花立て用花束支持背景板である。【選択図】図１
0003118879.tif 000002
【実用新案登録請求の範囲】
【請求項１】
有底の円筒状に形成された花立ての上端円周上に着脱自在に立てて装着できるようにした背景板であって、花立ての円周縁に沿うべく円弧面を有する背景板の上端部若しくは上端部とその下方に、花束の大きさに応じて支持リング径が調整可能な１乃至複数の支持バンドと、下端部左右両サイドに花立て上端部の周壁を開閉自在に挟持可能な挟持部が設けられてなることを特徴とする花立て用花束支持背景板。
【請求項２】
背景板の上端部若しくは上端部とその下方の左右両サイドに穴が穿設され、該穴に支持バンドの両端部を挿通させて支持バンドの支持リング径を調整すると共に、背景板の背面に支持バンドの端部を止めるストッパー部が設けられてなることを特徴とする請求項１記載の花立て用花束支持背景板。
【請求項３】
背景板の上端部若しくは上端部とその下方の中心部にねじ穴が穿設され、該ねじ穴に止め板を介在させてストッパーのねじ部をねじ込み、該ストッパーのねじ込みにより背景板の外面と止め板の間で支持バンドの端部を押え付けて止めるようにした支持バンドのストッパー部が設けられてなることを特徴とする請求項１又は請求項２記載の花立て用花束支持背景板。
【請求項４】
背景板の下端部左右両サイドにバネ押え力をもたせた押え板が形成され、該押え板と背景板の下端部内面との間で花立ての上端部周壁を開閉自在に支持するように挟持部が形成されてなることを特徴とする請求項１乃至請求項３のいずれか１項に記載の花立て用花束支持背景板。
【考案の詳細な説明】
【技術分野】
【０００１】
本考案は、墓前等の花立ての上端円周部に着脱自在に立てて装着し、花立てに挿入された花束を支持するようにした花立て用花束支持背景板に関するものである。
【背景技術】
【０００２】
屋外の墓前等に立てられる花立ては、一般的には有底の円筒形容器が使用されており、該花立てに茎部を挿入して立てられた花束は、風が吹いたりするとばらばらになりやすい問題があり、ばらばらにならないように花立て容器の中に入れて花束を支持できるようにした筒型花立の花束支持具（例えば特許文献１）や花立容器用花束支持具（例えば特許文献２）は開示され、公知となっている。
【０００３】
又、屋外の葬祭用供花や榊が、風などにより倒れたり、回転したりするのを防止するための葬祭用花立ての付属具（特許文献３）や、墓前用花立ての背後に配置され、主として花が手向けられていないときや、花が枯れてしまった後に花の代りとなって墓前を装飾することのできる墓前用花立の背景板、及びそれを使用した墓前用花立（特許文献４）が開示され、公知となっている。
【０００４】
【特許文献１】登録実用新案第３０３７２６４号公報
【特許文献２】登録実用新案第３０５８１６３号公報
【特許文献３】実開平５−２２７７７号公報
【特許文献４】特開平１０−２８０７３５号公報
【考案の開示】
【考案が解決しようとする課題】
【０００５】
しかしながら、上記特許文献１や特許文献２に記載される花束支持具は、該花束支持具を花立て容器の中に花束と一緒に入れて支持するようになっており、花束支持具を着脱するのに花立てに挿入した花束を取り除いて行うか、或いは花束支持具で花束を挟持するようにして行わなければならず、着脱が容易且つ迅速に行えず面倒である。
【０００６】
又、上記特許文献３に記載される葬祭用花立ての付属具は、花立ての外周へ着脱自在に配置される重量包囲体と、その重量包囲体の後部に固着支持されて上方へ直立する花の回転防止体とからなり、重量包囲体に代えて花立ての首回りをクリップで挟着する手段が開示されているが、該クリップから上方へ直立する花の回転防止体は線材により上部に円形の広がりをもつ後背部を形成したものであり、花立てに挿入された花束の大きさに応じて支持を調整し得るものではなく、墓前等の花立てに挿入された花束を支持するには適用し難く、上記特許文献４に記載される墓前用花立の背景板、およびそれを使用した墓前用花立は、墓前の花立の後寄り上部に組合せ可能な背景基部を備え、該背景基部の少なくとも前部には、花等の装飾模様部が付された背景装飾部が形成されたものであり、該背景装飾部、又は背景装飾部を通して背景基部に、花保持棒を着脱可能に支持する複数個の支持孔部が適宜間隔をもって穿設された手段が開示されているが、円筒状の花立てに着脱自在に装着して、花立てに挿入された花束を支持するには適用し難い。
よって、本考案は、墓前等に立てて使用される有底の円筒状花立ての中に入れて花束を支持することなく花立てに着脱自在に立てて装着し、該花立てに挿入された花束がばらばらにならないように支持するのに好適な花立て用花束支持背景板を提供することを課題とする。
【課題を解決するための手段】
【０００７】
上記課題を達成するために、本考案は以下に記載するような手段を講じてなる花立て用花束支持背景板とするものである。
すなわち、有底の円筒状に形成された花立ての上端円周上に着脱自在に立てて装着できるようにした背景板であって、花立ての円周縁に沿うべく円弧面を有する背景板の上端部若しくは上端部とその下方に花束の大きさに応じて支持リング径が調整可能な１乃至複数の支持バンドと、下端部左右両サイドに花立て上端部の周壁を開閉自在に挟持可能な挟持部が設けられてなることを特徴とする花立て用花束支持背景板である。
【０００８】
前記花立て用花束支持背景板は、背景板の上端部若しくは上端部とその下方の左右両サイドに穴が穿設され、該穴に支持バンドの両端部を挿通させて支持バンドのリング径を調整すると共に、背景板の背面に支持バンドの端部を止めるストッパー部が設けられてなることを特徴とし、該ストッパー部は背景板の上端部若しくは上端部とその下方の中心部にねじ穴を穿設し、該ねじ穴に止め板を介在させてストッパーのねじ部をねじ込み、該ストッパーのねじ込みにより背景板の外面と止め板の間で支持バンドの端部を押え付けて止めるようにしてなることを特徴とする。
【０００９】
又、前記花立て用花束支持背景板は背景板の下端部左右両サイドにはバネ押え力をもたせた押え板が形成され、該押え板と背景板の下端部内面との間で、花立ての上端部周壁を開閉自在に挟持するように挟持部が形成されてなることを特徴とする。
【考案の効果】
【００１０】
上記手段にて記載するように、本考案は花立ての円周縁に沿うべく円弧面を有する背景板の上端部若しくは上端部とその下方に花束の大きさに応じて支持リング径が調整可能な１乃至複数の支持バンドと、下端部左右両サイドに花立て上端部の周壁を開閉自在に挟持可能な挟持部が設けられてなる花立て用花束支持背景板であるから、有底の円筒状に形成された花立ての上端円周上に立てて、花立てに挿入された花束が風等によりばらばらになるのを防止するのに好適である。
【００１１】
又、背景板の上端部若しくは上端部とその下方の左右両サイドに穴を穿設し、該穴に支持バンドの両端部を挿通させて支持バンドの支持リング径を調整し、背景板の背面に支持バンドの端部を止めるストッパー部を設けることにより、花立てに挿入される花束の大きさに合わせて支持リング径を調整し、好適な支持リング径にしてストッパー部で止めることができると共に、背景板の下端部左右両サイドにバネ押え力をもたせて設けた押え板を開くようにして押え板と背景板の下端部内面との間で花立ての上端部周壁を挟持することにより、花立ての中に花束と一緒に入れることなく上端円周上に容易且つ迅速にしっかり立てて装着することができる。
【００１２】
更に、構成はシンプルで安価にできると共に、花立てとの着脱が容易であるから、既存の花立てへの適用が容易であり、使用しない時は容易且つ迅速に取り外せる。
【考案を実施するための最良の形態】
【００１３】
本考案を実施するための最良の形態は、有底の円筒状に形成された花立ての円周縁に沿うべく円弧面を有する背景板の上端部とその下方の左右両サイドに穴を穿設し、該穴に支持バンドの両端部を挿通させて、背景板の上端部とその下方の中心部にねじ穴を穿設して設けられたストッパー部で挿通させた支持バンドの両端部を止めるようにし、背景板の下端部左右両サイドにはバネ押え力をもたせた押え板を形成し、該押え板と背景板の下端部内面との間で、花立ての上端部周壁を開閉自在に挟持するように挟持部を形成して、前記花立ての上端円周上に着脱自在に立てて装着するようにした花立て用花束支持背景板の形態である。以下実施例にて図面を参照して説明する。
【実施例１】
【００１４】
図１は、本考案の実施例を示す斜視図である。図示するように背景板１は、円弧面１ａを有し、上端部とその下方の左右両サイドに穴１ｂ，１ｂ，…が穿設され、該穴に支持バンド２，…の両端部を挿通させて、背景板１の上端部とその下方の中心部にねじ穴１ｃ，…を穿設して設けられたストッパー部３，…で挿通させた支持バンド２，…の両端部を止めるようにし、背景板１の下端部左右両サイドはバネ押え力をもたせた押え板４，４を形成し、該押え板と背景板１の下端部内面１ｄとの間で、花立ての上端部周壁を開閉自在に挟持するように挟持部５が形成されている。
【００１５】
背景板１は、弾力性のある金属板又はプラスチック等で製作され、穴１ｂ，１ｂ，…に挿通された支持バンド２，…の両端部は、図２に示すように背景板１の外面で、中心部に穿設された前記ねじ穴１ｃに止め板３ｂを介在させてねじ込んだストッパー３ａによるストッパー部３にて、ストッパー３ａをねじ込むことにより背景板１の外面と止め板３ｂの間で押え付けられて止めるようにしてあり、ストッパー３ａを緩めることにより支持バンド２のリング径Ｄが調整ができるようにしてある。
なお、本実施例は一実施例に過ぎず、これに限定するものではなく、背景板１の外面で支持バンド２の両端部をストッパー３ａに結び付けて止めたり、或いは支持バンド２の両端部を結んで止めたりすることもできる。
【００１６】
前記支持バンド２は、ビニール紐等の樹脂製の紐や線材を使用するのが望ましいが、布製の紐や線材、及び針金等を使用することもできる。又、背景板１の大きさ（高さ）により支持バンド２を上端部に１箇所設けたり、或いは上端部とその下方に１乃至複数設けても良い。本実施例では背景板１の上端部とその下方に１箇所の計２箇所としている。
【００１７】
背景板１の下端部左右両サイドに形成された押え板４，４は、図１では背景板１と一体にして形成されているが、図３に示すように背景板１とは別個に製作して金属製の場合は溶接又はリベット等で固定し、プラスチック製の場合は接着剤又はリベット等で固定しても良い。押え板４，４の付け根部に隣接した曲部４ａ，４ａは押え板４，４を繰り返し開閉するためのバネ性をもたせるのと、上端円周縁が内側へ厚く形成された花立てに対応するための逃しとなる。
【００１８】
図４は、以上のようにしてなる花立て用花束支持背景板の使用例を示す縦断面図である。図示するように背景板１は、有底の円筒状に形成された花立て６の上端円周上に、下端部左右両サイドに形成された押え板４，４と、背景板１の下端部内面１ｄとの間で花立て６の上端部周壁を開閉自在に挟持するようにして、着脱自在に立てて装着できるようにし、花立て６に挿入された花束７を支持バンド２，２の支持リング径を調整して背景板１の外面に設けられたストッパー部３，３のストッパー３ａをねじ込むことにより、止め板３ｂ，３ｂで支持バンド２，２の両端部が押え付けられて止められている。
【産業上の利用可能性】
【００１９】
背景板の形状や模様、色彩等を配慮して円筒状の花立ての上端背部に立てて装着すれば、花立てに挿入された花束の支持のみならず、花立てに花が挿入されていない時や花束量が少ない時などの装飾が補える装飾背景板としても利用の可能性がある。
【図面の簡単な説明】
【００２０】
【図１】本考案の実施例を示す斜視図である。
【図２】支持バンドの端部を止めるストッパー部の要部斜視図である。
【図３】背景板下端部の他の実施態様を示す要部斜視図である。
【図４】本考案の使用例を示す縦断面図である。
【符号の説明】
【００２１】
１  背景板
１ａ  円弧面
１ｂ  穴
１ｃ  ねじ穴
１ｄ  下端部内面
２  支持バンド
３  ストッパー部
３ａ  ストッパー
３ｂ  止め板
４  押え板
４ａ  曲部
５  挟持部
６  花立て
７  花束
Ｄ  支持リング径
【図１】
0003118879.tif 000003
【図２】
0003118879.tif 000004
【図３】
0003118879.tif 000005
【図４】
0003118879.tif 000006